(57)【要約】【課題】本発明の目的は、広告配信センタから配信される広告情報の広告効果を一層有効に活用できる広告情報提供方法および装置を提供することにある。【解決手段】一台の配信用モバイル端末１０ａは要求した属性の広告情報を広告配信センタ２からネットワーク４を介して受信する。配信用モバイル端末１０ａは広告配信センタ２から広告情報を受信できない複数台の非受信モバイル端末１０ｂ〜１０ｎが必要とする属性の広告情報であることを確認して当該属性の広告情報を送信し、非受信モバイル端末１０ｂ〜１０ｎへの配信数によって広告配信センタ２から配信報酬を得る。【選択図】　図１
2004038701.tif 000002
【特許請求の範囲】
【請求項１】
一台の配信用モバイル端末が要求した属性の広告情報を広告配信センタからネットワークを介して受信し、前記配信用モバイル端末は前記広告配信センタから前記広告情報を受信できない複数台の非受信モバイル端末に送信するものであって、前記配信用モバイル端末は前記非受信モバイル端末が必要とする属性の広告情報であることを確認して当該属性の広告情報を送信するようにして前記非受信モバイル端末への配信数を累積し、配信数によって前記広告配信センタから配信報酬を得るようにしたことを特徴とする広告情報提供方法。
【請求項２】
複数の広告主から依頼された広告情報を配信する広告配信センタからネットワークを介して一台の配信用モバイル端末が要求した属性の広告情報を受信し、前記配信用モバイル端末は前記広告配信センタから前記広告情報を受信できない複数台の非受信モバイル端末に送信するものであって、前記配信用モバイル端末は前記非受信モバイル端末が必要とする属性の広告情報であることを確認して当該属性の広告情報を送信するようにし、前記非受信モバイル端末への配信数による配信報酬と前記広告主の広告成果報酬を前記広告配信センタから得るようにしたことを特徴とする広告情報提供方法。
【請求項３】
広告主から依頼された広告情報を配信する広告配信センタと、前記広告配信センタから前記広告情報を受信できない複数台の非受信モバイル端末と、前記広告配信センタから要求した属性の広告情報をネットワークを介して受信して前記複数台の非受信モバイル端末に送信する一台の配信用モバイル端末とを具備し、前記配信用モバイル端末は前記非受信モバイル端末が必要とする属性の広告情報であることを確認して当該属性の広告情報を送信するようにし、前記非受信モバイル端末への配信数を累積加算して前記広告配信センタに送信するようにし、広告情報毎に予め定められている報酬条件に基づき前記非受信モバイル端末への配信数によって配信報酬を前記広告配信センタから得るようにしたことを特徴とする広告情報提供装置。
【請求項４】
複数の広告主から依頼された広告情報を配信する広告配信センタと、前記広告配信センタから前記広告情報を受信できない複数台の非受信モバイル端末と、前記広告配信センタから要求した属性の広告情報をネットワークを介して受信して前記複数台の非受信モバイル端末に送信する一台の配信用モバイル端末とを具備し、前記配信用モバイル端末は前記非受信モバイル端末が必要とする属性の広告情報であることを確認して当該属性の広告情報を送信するようにし、前記非受信モバイル端末への配信数を累積加算して前記広告配信センタに送信するようにし、広告情報毎に予め定められている報酬条件に基づき前記非受信モバイル端末への配信数による配信報酬と前記広告主の販売成立数によるの広告成果報酬を前記広告配信センタから得るようにしたことを特徴とする広告情報提供装置。
【発明の詳細な説明】
【０００１】
【発明の属する技術分野】
本発明は広告情報を配信する広告配信センタから一台の配信用モバイル端末が要求した属性の広告情報を受信して広告配信センタから広告情報を受信できない複数台の非受信モバイル端末に送信する広告情報提供方法および装置に関する。
【０００２】
【従来の技術】
近年、商店街においては多数の商店の広告情報を配信する広告配信センタを設置し、所定のエリア内にいる消費者が携帯するモバイル端末（携帯情報端末）に広告情報を送信するという広告情報提供システムが提案されている。
【０００３】
広告配信センタの広告情報は広告配信センタの送信エリア内で広告配信センタからの送信情報を受信できる機能をもっているモバイル端末のみが受信できるようになっている。
【０００４】
このような広告情報提供システムは商店街の活性化をもたらすと期待されている。本出願人は先に特願２００１−２０７２９９号として、各店舗から配信された広告情報を基地局で保存し、基地局が保存した広告情報を複数台のモバイル端末に配信することを提案している。
【０００５】
【発明が解決しようとする課題】
先に提案した基地局から複数台のモバイル端末に広告情報を配信することによって広告効果を高めることが期待できる。しかし、基地局（広告配信センタ）の送信エリア内で、かつ広告配信センタからの送信情報を受信できる機能をもっているモバイル端末に限定されるため、更なる広告効果を向上させる技術の開発が強く要望されている。
【０００６】
本発明は上記点に対処して成されたもので、その目的とするところは広告配信センタから配信される広告情報の広告効果を一層有効に活用できる広告情報提供方法および装置を提供することにある。
【０００７】
【課題を解決するための手段】
本発明の特徴とするところは一台の配信用モバイル端末が要求した属性の広告情報を広告配信センタからネットワークを介して受信し、配信用モバイル端末は広告配信センタから広告情報を受信できない複数台の非受信モバイル端末が必要とする属性の広告情報であることを確認して当該属性の広告情報を送信するようにし非受信モバイル端末への配信数によって広告配信センタから配信報酬を得るようにしたことにある。
【０００８】
本発明は配信用モバイル端末が複数台の非受信モバイル端末で必要とする属性の広告情報であることを確認して当該属性の広告情報を送信するようにし非受信モバイル端末への配信数によって広告配信センタから配信報酬を得るようにしている。したがって、非受信モバイル端末を使用している多くの消費者に広告することができ、また、配信用モバイル端末の配信員も配信数によって報酬を得られるので懸命に努力することになり広告情報の広告効果を一層有効に活用できるようになる。
【０００９】
【発明の実施の形態】
以下、本発明の実施の形態を図面に基づいて説明する。
図１に本発明の一実施例を示す。
図１において、広告配信センタ２はパーソナルコンピュータ（パソコン）２１と広告情報データベース２２から構成され、インターネット等のネットワーク４に接続されている。広告主３はパソコン３１と商品情報データベース３２から構成されネットワーク４に接続されている。広告主３の広告情報はパソコン３１からネットワーク４を介して広告配信センタ２に送信されデータベース２２に格納される。
【００１０】
配信用モバイル端末１０ａは要求した属性の広告情報を広告配信センタ２からネットワーク４を介して受信し、広告配信センタ２から広告情報を受信できない複数台の非受信モバイル端末１０ｂ〜１０ｎに送信する。モバイル端末１０ａ〜１０ｎは携帯電話、各種ＰＤＡ、携帯可能なノートパソコン等が用いられる。
【００１１】
図２に図１の詳細構成図を示す。なお、図２において広告配信センタ２のパソコン２１は、図示が複雑になるので配信用モバイル端末１０ａからの広告要求によって広告情報を配信する機能ブロックと広告主３からの広告情報登録の機能ブロックのみを示している。
【００１２】
図２において、パソコン２１は広告情報受入条件判定手段２３、要求広告情報判定手段２４、広告情報検索手段２５、広告情報作成手段２６および広告情報登録手段２７から構成されている。また、広告主３のパソコン３１は広告情報検索手段３３、広告情報追加更新手段３４で構成されている。広告主３は３ａ〜３ｍと複数存在している。
【００１３】
配信用モバイル端末１０ａは広告要求手段１１、要求広告登録手段１２および広告情報受入条件判定手段１３で構成され、また、非受信モバイル端末１０ｂ〜１０ｎは広告要求手段１１、要求広告登録手段１２で構成されている。
【００１４】
この構成において、配信用モバイル端末１０ａはネットワーク４を介して広告配信センタ２と通信可能である場合に予め登録された広告情報に関する属性情報を送信する。広告配信センタ２の広告情報受入条件判定手段２３は広告情報に関する属性情報から広告情報の受け入れ可能かどうかを判断する。
【００１５】
受け入れ可能である場合には、要求広告情報判定手段２４で広告情報を判定して広告情報検索手段２５によって広告情報データベース２２から検索し広告情報作成手段２６からモバイル端末１０ａに広告情報を配信する。広告情報データベース２２の広告情報は広告主３からの追加更新情報により広告情報登録手段２７で追加更新される。
【００１６】
配信用モバイル端末１０ａは広告配信センタ２から広告情報を受信すると、受信の確認情報として電話番号等の一意な端末番号を広告配信センタ２に送信する。次に、配信用モバイル端末１０ａは単体通信で非受信モバイル端末１０ｂ〜１０ｎと通信可能である場合にモバイル端末１０ｂ〜１０ｎに予め登録された広告情報に関する属性を要求する。
【００１７】
配信用モバイル端末１０ａはモバイル端末１０ｂ〜１０ｎの広告情報に関する属性から、広告情報の受け入れ可能かどうかを確認する。受け入れ可能である場合には、モバイル端末１０ｂ〜１０ｎに広告情報とモバイル端末１０ａの電話番号等の一意な端末番号を配信し、配信した広告数を広告配信数保持手段１４で加算し保持する。
【００１８】
次に、モバイル端末１０ａは、店舗等の広告配信元である広告配信センタ２から、広告配信数保持手段１４に保持した配信数に応じた配信報酬を得る。配信報酬は現金、割引クーポン、電子マネー、商品等である。また、広告配信センタ２は、モバイル端末１０ｂ〜１０ｎが配信された広告情報（例えば各種クーポン券・特価情報など）を利用して買い物する場合に、広告情報とともに送信されたモバイル端末１０ａの電話番号等の一意な端末番号を保持する。配信用モバイル端末１０ａは広告の配信報酬と同様に店舗等の広告の配信元である広告配信センタ２で広告の成功報酬を得る。
【００１９】
次に、広告配信センタ２とモバイル端末１０ａ間の広告配信、モバイル端末１０ａとモバイル端末１０ｂ〜モバイル端末１０ｎ間の広告配信、広告配信センタ２とモバイル端末１０ａにおける広告の配信報酬の授受、広告配信センタ２とモバイル端末１０ｂ〜モバイル端末１０ｎにおける買い物の成立に対するモバイル端末１０ａへの成功報酬の授受について図３〜図６のフローチャートを用いて説明する。
【００２０】
図３に広告配信センタ２と配信用モバイル端末１０ａ間の広告配信のフローチャートを示す。
まず、ステップＳ１においてモバイル端末１０ａと広告配信センタ２がネットワーク４を介して相互に通信可能を判断する。ステップＳ１でモバイル端末１０ａがネットワーク４を介して広告配信センタ２と通信可能と判断するとステップＳ２に移り、可能でない場合には処理を終了する。
【００２１】
ステップＳ２は広告配信センタ２にモバイル端末１０ａに登録された広告情報に関する属性を送信する処理で、モバイル端末１０ａから広告配信センタ２に広告に関する属性情報を送信する。属性情報は、例えば、受け入れ条件：なし（すべて受け入れる）、受け入れ条件：趣味（つり）など、配信側の情報のカテゴリを指定する。
【００２２】
ステップＳ３は広告情報の受け入れを確認する処理で、広告配信センタ２がモバイル端末１０ａから送信された属性情報が、保持している広告情報と一致して配信できるか判断する。配信可能な場合はステップＳ４に移行し、可能でない場合には処理を終了する。ステップＳ４は、モバイル端末１０ａに広告情報を配信する処理で、広告配信センタ２からモバイル端末１０ａに予め保持している広告情報を送信する。
【００２３】
ステップＳ４からステップＳ５に移行してモバイル端末１０ａが広告情報を受信したのを確認する。ステップＳ５で受信が正しく行われなかった場合には処理を終了する。ステップＳ５で受信が正しく行われたと判断するとステップＳ６に移り広告配信センタ２から配信された広告情報を保持する処理を行い、モバイル端末１０ａ内に広告情報を保持する。
【００２４】
モバイル端末１０ａ内に保持する広告情報には、表示すべき広告情報の他に、広告の有効期限や時刻を示す広告配信制限時刻と、広告の配信段数を示す累積配信限度回数、広告の配信地域を示す広告配信エリア等を付加し配信する。
【００２５】
ステップＳ７はモバイル端末１０ａの一意な端末番号を送信する処理で、モバイル端末１０ａから広告配信センタ２に電話番号等の一意な端末番号を送信する。
【００２６】
図４にモバイル端末１０ａとモバイル端末１０ｂ〜モバイル端末１０ｎ間の広告配信のフローチャートを示す。
【００２７】
まず、ステップＳ１１、ステップＳ１２は、広告配信センタ２から広告の配信可能でないエリアまたは受信機能を持たない他のモバイル端末に登録された広告情報に関する属性を確認する処理で、ステップＳ１１においてモバイル端末１０ａが単体通信でモバイル端末１０ｂと通信可能である場合にステップＳ１２の処理で属性の要求を行いモバイル端末１０ｂの属性情報を取得する。
【００２８】
ステップＳ１１では、広告情報に付加されている広告配信制限時刻と、累積配信限度回数、広告配信エリア等の配信条件が満たされている場合に通信可能と判断する。広告配信制限時刻は、予め広告情報に埋め込まれた広告配信時刻と現在時刻を比較し、広告配信時刻が現在時刻より後の場合は配信可能とする。
【００２９】
また、累積配信限度回数は、予め広告情報に埋め込まれた累積配信限度回数から多段配信（配信元以外からの情報提供を受けた場合）を行う毎に「１」ずつ減算していき、「０」になるまで配信可能とする。さらに、広告配信エリアは、ＧＰＳ搭載機器において予め広告情報に埋め込まれた配信エリア情報（緯度経度等）と現在位置を比較し、現在位置が広告配信エリア内の場合に配信可能とする。
【００３０】
ステップＳ１３は広告情報の受け入れを確認する処理で、モバイル端末１０ａがモバイル端末１０ｂから送信された属性情報が保持している属性情報と一致しているかによって配信可能か判断する。配信可能な場合はステップＳ１３に進み、可能でない場合には何もせず処理を終了する。
【００３１】
ステップＳ１４、ステップＳ１５は他のモバイル端末に広告情報と一意な端末番号を配信する処理で、モバイル端末１０ａからモバイル端末１０ｂへ広告情報とモバイル端末１０ａの一意番号をモバイル端末１０ｂに、それぞれステップＳ１４、テップＳ１５で送信処理を実行する。
【００３２】
ステップＳ１５からステップＳ１６に移行して、他のモバイル端末に配信した広告数を保持する処理を行う。ステップＳ１６では他のモバイル端末に広告情報と一意な端末番号を配信する工程で配信された広告情報数をモバイル端末１０ａ内で加算しつつ保持する。
【００３３】
図５に広告配信センタ２とモバイル端末１０ａにおける広告の配信報酬のフローチャートを示す。
【００３４】
図５は配信した広告数により配信報酬を得る処理で、まず、ステップＳ２１において広告配信センタ２とモバイル端末１０ａ間の通信状態を取得し、通信可能で有ればステップＳ２２に進み、可能でない場合には何もせず処理を終了する。
【００３５】
ステップＳ２２では広告配信数保持手段１４が保持している、他のモバイル端末１０ｂ〜１０ｎに配信した広告数をモバイル端末１０ａから広告配信センタ２に送信する。
【００３６】
ステップＳ２３はステップＳ２２において受信したモバイル端末１０ａの配信した広告数に応じて報酬支払い判定手段２８により、予め広告に登録されている報酬条件と比較し報酬を支払う必要があるかどうか判断する。支払う必要がある場合には、ステップＳ２４に進み、支払う必要がない場合には処理を終了する。
【００３７】
ステップＳ２４では配信した広告数に応じた報酬を現金、割引クーポン、電子マネー、商品等で支払う処理を実行する。このとき、現金、商品は店頭での受け渡しが考えられるが、割引クーポン、電子マネーは必ずしも店頭渡しの必要はなく、電子メール、各種電子決算等で代行可能である。
【００３８】
図６に広告配信センタ２と非受信モバイル端末１０ｂ〜１０ｎにおける買い物の成立に対する配信用モバイル端末１０ａへの成功報酬の授受に関するフローチャートを示す。
【００３９】
ステップＳ３１においてモバイル端末１０ｂが広告配信センタ２との通信状態を取得し、通信可能で有ればステップＳ３２に進み、可能でない場合には何もせず処理を終了する。ステップＳ３２ではモバイル端末１０ｂが広告配信センタ２の店舗やインターネットショッピングモール等で広告された各種サービスを利用するかどうかを判断する。
【００４０】
ステップＳ３２で利用すると判定するとステップＳ３３に進み、利用しない場合には何もせず処理を終了する。広告された各種サービスとは、割引クーポンや特価品情報などが考えられる。
【００４１】
ステップＳ３３はモバイル端末１０ｂがどのような経路で広告情報を入手したかを知るための処理で、この例では、モバイル端末１０ａの電話番号のような一意番号をモバイル端末１０ｂから取得する。ステップＳ３４では広告による売買等が成立したかどうかを判断する。ステップＳ３４で成立したと判断するとステップＳ３５に進み、成立しなかった場合には何もせず処理を終了する。
【００４２】
ステップＳ３５において、広告により成立した売買等が、どのモバイル端末から送られた広告情報だったかを販売成立数加算手段３５で判断する。この例では、モバイル端末１０ａの一意番号の売買成立数を加算し、広告配信元である広告配信センタ２に送信する。広告配信センタ２では、図５の広告配信報酬と同じ手順で成功報酬を支払う。
【００４３】
このようにして広告情報を配信するのであるが、配信用モバイル端末が複数台の非受信モバイル端末で必要とする属性の広告情報であることを確認して当該属性の広告情報を送信するようにし非受信モバイル端末への配信数によって広告配信センタから配信報酬を得るようにしている。したがって、非受信モバイル端末を使用している多くの消費者に広告することができ、また、配信用モバイル端末の配信員も配信数によって報酬を得られるので懸命に努力することになり広告情報の広告効果を一層有効に活用できるようになる。
【００４４】
【発明の効果】
本発明によれば、非受信モバイル端末を使用している多くの消費者に広告することができ、また、配信用モバイル端末の配信員も配信数によって報酬を得られるので懸命に努力することになり広告情報の広告効果を一層有効に活用できるようになる。
【図面の簡単な説明】
【図１】本発明の一実施例を示す構成図である。
【図２】本発明の一実施例を示す詳細構成図である。
【図３】本発明の動作を説明するためのフローチャートである。
【図４】本発明の動作を説明するためのフローチャートである。
【図５】本発明の動作を説明するためのフローチャートである。
【図６】本発明の動作を説明するためのフローチャートである。
【符号の説明】
１０ａ、１０ｂ〜１０ｎ…モバイル端末
２…広告配信センタ
３…広告主
４…ネットワーク
２１、３１…パーソナルコンピュータ
２２、３２…データベース
【図１】
2004038701.tif 000003
【図２】
2004038701.tif 000004
【図３】
2004038701.tif 000005
【図４】
2004038701.tif 000006
【図５】
2004038701.tif 000007
【図６】
2004038701.tif 000008